(57)【要約】      （修正有）【課題】外部からの覗を防ぎプライバシーを守ることが出来、通気（冷気）が通り、外側から室内が見ずらいようになり、外部からの侵入を防ぐ効果があるベランダ先取付用パンチング型ブラインド式目隠しスクリーンを提供する。【解決手段】閉めた状熊でもベランダ内空間と外部空間とが接する面において、ベランダ内空間が直接に外気に通じる部分の面積がベランダ内空間と外部との接する全体面積の５０％以上にスラットに多数の穴部を設けられているベランダ先取付用パンチング型ブラインド式目隠しスクリーン１９において、当該ベランダ先取付用パンチング型ブラインド式目隠しスクリーン（本体）は、長さがベランダの両端までである上下枠（レール）２１、２２に設置され、開扉時の長さは上下枠の取り付ける長さの１／３以内であり、本体は上下枠中で左右にローラによって移動することが出来ることを特徴とする。【選択図】図１
0003208045.tif 000002
【実用新案登録請求の範囲】
【請求項１】
上枠と下枠はベランダの全長に取付るがパンチング型ブラインド式スクリ一ン（本体）の長さはバルコ二―の全長の１／２又は１／３にして本体のスクリ一ンを任意にスライド出来るようにした。
【考案の詳細な説明】
【技術分野】
【０００１】本考案は、屈伸リンクにより開扉又は開扉するブラインド式雨戸に多数の穴部を設けて建物の開口部に設置し、通風、採光型の目隠しスクリ一ンに転用されるものに関する。
【背景技術】
【０００２】  ベランダの外側にスクリ―ンを取リ付ると建築基準法ではベランダの床面積に算入さるれることになりマンションメ―力一又は住宅メ―カ一は建物を建てる時ベランダの床面積が算入される為、今迄はベランダの外側にスクリ一ンを取付けをしななかった。しかしながら家屋等の中が外から丸見になりプライバシ一や防犯上の問題があった。【０００３】このような問題を解決するためのものとして建築基凖法ではベランダでは外気に有効に開放されて部分が５０％以上であれば床面積に算入しないためパンチング型ブラインド式スクリ一ン（本体））を取付けても外気に開放される部分を５０％以上にした。
このパンチング型スライド式スクリーンは、屈伸リンクにより連絡させた複数の板状のスラットを、上部及び下部のサッシに沿って移動可能なように上部のサッシから吊設したものである。【０００４】このようなパンチング型スライド式スクリーンに関するものとして特許文献１が開示するところのブラインド式雨戸が提案されている。この特許文献１に開示されるブラインド式雨戸は従来のブラインド複数のスラットが雨戸の正面から所定の角度傾いて互いに平行になり雨戸が閉じた状態のまま各スラット間が開口するように構成されている。
【特許文献１】実用新案３１７４２８１号
【０００５】（パンチング型スライド式スクリーンの構成）
図１は、本発明の一実地の形態におけるパンチング型スライド式スクリーンの開扉時の縦断面図である。
また、図２は、本実施の形態における開扉時の横断面図であり、図１のＡ‐Ａ線で切った断面を示している。
なお、このパンチング型スライド式スクリーンは、例えばアルミ製であり、その表面には、多数の穴部が貫通して形成されている。【０００６】なお、この穴部は、径が１０−２５ｍｍ程度の円形や方形等であることが好ましい。これは、この穴部の径を極端に大きく形成すると、採光及び通気の効果は高くなるものの、扉１９内の様子が外側から視認可能となり、さらには防犯面の効果も低くなってしまうからである。【０００７】図３は、前述の本体の案内枠２０の表面側を示す図である。
図に示すように、このスクリーン用案内枠２０は、開口部２に対して四辺形状に形成されている。また、スクリーン用案内枠２０は、この四辺形状の上辺部を構成する上枠２１と、下辺部を構成する下枠２２と、側辺部を構成する左右一対の縦枠を２３とを有して構成されている。【０００８】図４は、そのパンチング型スライド式スクリーン１９の正面図である。また、図６は、そのパンチング型スライド式スクリーン１９の拡大斜視図である。
図に示すように、パンチング型ブラインド式１９は、短冊状に形成された複数のスラット３８と、この各スラット３８の上端部及び下端部を連結する伸縮自在のレージトング４１と、上側のレージトング４１をガイドレール３９内にガイド穴４０を介して転動自在に吊支するガイドローラー４２と、下側のレージトング４１を下枠２２のガイドレール３９内にガイド穴４０を介して移動可能に係合させるガイドピン４３とを有して構成されている。【０００９】スラット３８は、細長い板体により構成され、上下端部に前記レージトング４１が取り付けられている。
また、このスラット３８は、両側端部に相反する方向へ折曲された係止縁４４を有し、この係止縁４４には上下方向に沿って凹溝４５が形成されている。この凹溝４５には、細長状に形成されたシール部材４６（例えばゴム材など）が固着され、各スラット３８の係止縁４４同士が密着したときの水密性を向上させている。【００１０】また、レージトング４１は、形状の異なる二種類のリンク４７ａ、４７ｂを中央部で軸着してＸ字状に回転自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは断面Ｌ字状に折曲形成されたプレートにより構成されている。このリンク４７ｂには、スラット３８の上下端部が狭持固定されている。
【考案が解決しようとする課題】
【００１１】このパンチング型ブラインド式スクリーンは閉めた状態でも外気に有効に開放される部分を５０％以上になるように考えた。
【課題を解決するための手段】
【００１２】本考案はベランダに取付る上下枠はベランダの全長に取付るが本体のスクリ一ンの長さ（Ｗはベランダの長さ（Ｗ））の１／２又は１／３にし本体のスクリ一ンを任意にスライド出来るようにした。
【考案の効果】
【００１３】  本考案の効果は外部からの覗を防ぎプライバシーを守ることが出来る。▲１▼通気（冷気）が通る  ▲２▼外側から室内が見ずらいようになる。▲３▼外部からの侵入を防ぐ効果がある。。
【図面の簡単な説明】
【００１４】
【図１】本発明の一実施形態におけるパンチング型スライド式スクリーンの開扉時の縦断面図である。
【図２】本発明の一実施形態における開扉時の横断面図である。
【図３】本発明の一実施形態におけるスクリーン用案内枠の表面側を示す図である。
【図４】本発明の一実施形態におけるパンチング型スライド式スクリーンの拡大斜視図である。
【図５】本発明の一実施形態におけるパンチング型スライド式スクリーンを開けた状態の内側正面図である。
【図６】本発明の一実施形態におけるパンチング型スライド式スクリーンの拡大斜視図である。
【図７】本発明の一実施形態におけるレージトング及びガイドローラの部分を拡大した分解斜視図である。
【図８】３８スラットの穴の大きさ形態図である。
【図９−１】ベランダの外側に取付る本体の断面図
【図９−２】ベランダの外側に取付る本体の断面図
【符号の設明】
【００１５】１９  パンチング型スライド式スクリーン
２０  本体用案内枠
２１  上枠
２２  下枠
２３  立て枠
２４  枠本体
３８  スラット
３９  ガイドレール
４０  ガイド穴
４１  レージトング
４４  係止縁
４６  シール部材
４７ａ、４７ｂ  リンク
５０  回転軸
５１  ローラ部
５２  ベアリング
５５  固定棒
【図１】
0003208045.tif 000003
【図２】
0003208045.tif 000004
【図３】
0003208045.tif 000005
【図４】
0003208045.tif 000006
【図５】
0003208045.tif 000007
【図６】
0003208045.tif 000008
【図７】
0003208045.tif 000009
【図８】
0003208045.tif 000010
【図９−１】
0003208045.tif 000011
【図９−２】
0003208045.tif 000012
【手続補正書】
【提出日】平成28年4月7日(2016.4.7)
【手続補正１】
【補正対象書類名】実用新案登録請求の範囲
【補正対象項目名】全文
【補正方法】変更
【補正の内容】
【実用新案登録請求の範囲】
【請求項１】
閉めた状態でもバルコニー内空間と外部空間とが接する面において、バルコニー内空間が直接に外気に通じる部分の面積がバルコニー内空間と外部との接する全体面積の５０％以上にスラットに多数の穴部を設けられているバルコニー先取付用パンチン型ブラインド式目隠しスクリーン（本体）において当該バルコニー取付パンチング型ブライン式スクリーンは長さがバルコニーの両端まである上下枠に設置され閉扉時の長さは１／３又１／２である本体は上下枠（レール）中左右にローラ（５１）によって移動する事が出来ることを特徴とするバルコニー先付パンチング型スクリーン。
【手続補正書】
【提出日】平成28年6月6日(2016.6.6)
【手続補正１】
【補正対象書類名】実用新案登録請求の範囲
【補正対象項目名】全文
【補正方法】変更
【補正の内容】
【実用新案登録請求の範囲】
【請求項１】
閉めた状熊でもベランダ内空間と外部空間とが接する面において、ベランダ内空間が直接に外気に通じる部分の面積がベランダ内空間と外部との接する全体面積の５０％以上にスラットに多数の穴部を設けられているベランダ先取付用パンチング型ブラインド式目隠しスクリーン（本体）において、当該ベランダ先取付用パンチング型ブラインド式目隠しスクリーンは、長さがベランダの両端までである上下枠（レール）に設置され、開扉時の長さは上下枠の取り付ける長さの１／３又は２Ｍ以内であり、本体は上下枠中で左右にローラ（５１）によって移動することが出来ることを特徴とするベランダ先取付用パンチング型ブラインド式目隠しスクリーン。
【手続補正書】
【提出日】平成28年7月28日(2016.7.28)
【手続補正１】
【補正対象書類名】実用新案登録請求の範囲
【補正対象項目名】全文
【補正方法】変更
【補正の内容】
【実用新案登録請求の範囲】
【請求項１】
閉めた状熊でもベランダ内空間と外部空間とが接する面において、ベランダ内空間が直接に外気に通じる部分の面積がベランダ内空間と外部との接する全体面積の５０％以上にスラットに多数の穴部を設けられているベランダ先取付用パンチング型ブラインド式目隠しスクリーンにおいて、当該ベランダ先取付用パンチング型ブラインド式目隠しスクリーン（本体）は、長さがベランダの両端までである上下枠（レール）に設置され、開扉時の長さは上下枠の取り付ける長さの１／３以内で且２Ｍ以内であり、本体は上下枠中で左右にローラ（５１）によって移動することが出来ることを特徴とするベランダ先取付用パンチング型ブラインド式目隠しスクリーン。
【手続補正書】
【提出日】平成28年9月30日(2016.9.30)
【手続補正１】
【補正対象書類名】実用新案登録請求の範囲
【補正対象項目名】全文
【補正方法】変更
【補正の内容】
【実用新案登録請求の範囲】
【請求項１】
閉めた状熊でもベランダ内空間と外部空間とが接する面において、ベランダ内空間が直接に外気に通じる部分の面積がベランダ内空間と外部との接する全体面積の５０％以上にスラットに多数の穴部を設けられているベランダ先取付用パンチング型ブラインド式目隠しスクリーンにおいて、当該ベランダ先取付用パンチング型ブラインド式目隠しスクリーン（本体）は、長さがベランダの両端までである上下枠（レール）に設置され、開扉時の長さは上下枠の取り付ける長さの１／３以内であり、本体は上下枠中で左右にローラ（５１）によって移動することが出来ることを特徴とするベランダ先取付用パンチング型ブラインド式目隠しスクリーン。